(57)【要約】【課題】島設備内の空気を吸入しつつ前方へ排出させてエアカーテンを形成することにより、低コストで島設備内の空気を強制的に循環させることができる島設備の台間装置を提供する。【解決手段】エアカーテンを形成可能な島設備の台間装置１において、装置本体２と、装置本体２内で回転可能に配設されるファン部材３と、ファン部材３を回転駆動させるためのモータ４と、装置本体２の側面、上面、下面又は背面で開口し、ファン部材３の回転駆動により島設備Ｓ内の空気を当該装置本体２内に吸入し得る吸入口５ａ、５ｂと、装置本体２の前面２ａ側で開口し、ファン部材３の回転駆動により吸入口５ａ、５ｂから吸入した空気を吐出させることにより前方に向かって送風し得る吐出口６とを具備したものである。【選択図】図２
2011030817.tif 000002
【特許請求の範囲】
【請求項１】
島設備の隣接する遊技機間に設置され、前方に向かって送風することによりエアカーテンを形成可能な島設備の台間装置において、
前記島設備における遊技機の側方近傍に設置可能とされた装置本体と、
該装置本体内で回転可能に配設されるファン部材と、
該ファン部材を回転駆動させるためのモータと、
前記装置本体の側面、上面、下面又は背面で開口し、前記ファン部材の回転駆動により前記島設備内の空気を当該装置本体内に吸入し得る吸入口と、
前記装置本体の前面側で開口し、前記ファン部材の回転駆動により前記吸入口から吸入した空気を吐出させることにより前方に向かって送風し得る吐出口と、
を具備したことを特徴とする島設備の台間装置。
【請求項２】
前記装置本体には、前記吸入口を覆うフィルタが形成されたことを特徴とする請求項１記載の島設備の台間装置。
【請求項３】
前記装置本体には、前記ファン部材の駆動をオン・オフ操作するための又は当該ファン部材の回転速度を任意に調整するための操作手段が形成されたことを特徴とする請求項１又は請求項２記載の島設備の台間装置。
【発明の詳細な説明】
【技術分野】
【０００１】
本発明は、島設備の隣接する遊技機間に設置され、前方に向かって送風することによりエアカーテンを形成可能な島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【先行技術文献】
【特許文献】
【０００４】
【特許文献１】特開平１０−１１８３２７号公報
【発明の概要】
【発明が解決しようとする課題】
【０００５】
しかしながら、上記従来の島設備の台間装置においては、装置本体の前面側に空気の吸入口が形成されているので、島設備外部の空気を吸入しつつ再び島設備外部（前方）へ吐出してエアカーテンを形成することから以下の如き不具合がある。即ち、島設備内は、密閉度は低いものの閉空間とされていることから、空気の循環があまりなく、湿気等により島設備内の構成要素や遊技機背面或いは遊技球等の遊技媒体に結露してしまう虞があるとともに、島設備内の構成要素の作動及び駆動により当該島設備内が過度に温度上昇してしまう虞があった。
【０００６】
然るに、島設備内に別個の空気循環設備や冷却装置等を配設することも考えられるが、その場合、当該空気循環設備或いは冷却装置の分だけ製造コストやランニングコストが嵩んでしまう。本出願人は、かかる不具合を解消すべく、エアカーテンを形成するにあたり島設備内の空気を吸入して吐出させることにより、島設備内の空気の循環を強制的に行わせることを検討するに至った。
【０００７】
本発明は、このような事情に鑑みてなされたもので、島設備内の空気を吸入しつつ前方へ排出させてエアカーテンを形成することにより、低コストで島設備内の空気を強制的に循環させることができる島設備の台間装置を提供することにある。
【課題を解決するための手段】
【０００８】
請求項１記載の発明は、島設備の隣接する遊技機間に設置され、前方に向かって送風することによりエアカーテンを形成可能な島設備の台間装置において、前記島設備における遊技機の側方近傍に設置可能とされた装置本体と、該装置本体内で回転可能に配設されるファン部材と、該ファン部材を回転駆動させるためのモータと、前記装置本体の側面、上面、下面又は背面で開口し、前記ファン部材の回転駆動により前記島設備内の空気を当該装置本体内に吸入し得る吸入口と、前記装置本体の前面側で開口し、前記ファン部材の回転駆動により前記吸入口から吸入した空気を吐出させることにより前方に向かって送風し得る吐出口とを具備したことを特徴とする。
【０００９】
請求項２記載の発明は、請求項１記載の島設備の台間装置において、前記装置本体には、前記吸入口を覆うフィルタが形成されたことを特徴とする。
【００１０】
請求項３記載の発明は、請求項１又は請求項２記載の島設備の台間装置において、前記装置本体には、前記ファン部材の駆動をオン・オフ操作するための又は当該ファン部材の回転速度を任意に調整するための操作手段が形成されたことを特徴とする。
【発明の効果】
【００１１】
請求項１の発明によれば、吸入口が装置本体の側面、上面、下面又は背面で開口し、ファン部材の回転駆動により島設備内の空気を当該装置本体内に吸入し得るよう構成されているので、島設備内の空気を吸入しつつ前方へ排出させてエアカーテンを形成することにより、低コストで島設備内の空気を強制的に循環させることができる。即ち、本発明に係る台間装置は、エアカーテンの形成機能と島設備内の強制循環機能とを併せ持つことができるのである。
【００１２】
請求項２の発明によれば、装置本体には、吸入口を覆うフィルタが形成されたので、島設備内の空気を吸入する過程で濾過することができ、含有する塵や埃等を捕捉して浄化し、その浄化した空気を吐出口から吐出させてエアカーテンを形成することができる。従って、島設備内の空気を吸入してエアカーテンを形成するにあたり、遊技者側に島設備内の塵や埃等が噴出してしまうのを回避することができる。
【００１３】
請求項３の発明によれば、装置本体には、ファン部材の駆動をオン・オフ操作するための又は当該ファン部材の回転速度を任意に調整するための操作手段が形成されたので、遊技者や遊技店の従業員等が必要に応じてファン部材を駆動させ或いは当該ファン部材の回転速度を使用状況に応じて調整することができる。
【図面の簡単な説明】
【００１４】
【図１】本発明の実施形態に係る島設備の台間装置を示す正面図
【図２】同台間装置の内部構成を示す側面図
【図３】同台間装置を示す背面図
【図４】同台間装置を示す斜視図
【図５】同台間装置におけるファン部材及びモータを示す拡大図
【図６】同台間装置が設置される島設備全体を示す模式図
【発明を実施するための形態】
【００１５】
以下、本発明の実施形態について図面を参照しながら具体的に説明する。
本実施形態に係る島設備の台間装置は、図６に示すように、パチンコ遊技店における島設備Ｓの隣接するパチンコ遊技機Ｐ間に設置され、前方（同図中手前側）に向かって送風することによりエアカーテンを形成可能なものであり、図１〜５に示すように、装置本体２と、ファン部材３と、モータ４と、吸入口５ａ、５ｂと、吐出口６とを有して構成されている。
【００１６】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂ及び側面２ｃ（上面及び下面も同様）を島設備Ｓ内に臨ませて固定されるようになっている。
【００１７】
本実施形態に係る装置本体２には、ロック部材１３ａ及び該ロック部材１３ａを揺動動作させるプッシュソレノイド１５や種々駆動機構等を具備したロック機構１３が配設されており、隣接するパチンコ遊技機Ｐの前面枠前方までロック部材１３ａが揺動することにより当該パチンコ遊技機Ｐに対する開閉動作を規制し得るようになっている。尚、本実施形態においては、ロック部材１３ａが装置本体２の略中央（中央の高さの位置）に形成されているが、他の位置に形成されたものとしてもよい。
【００１８】
また、装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック機構１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００１９】
更に、装置本体２内には、上下２つの仕切板１２が配設されており、それぞれの仕切板１２には検知センサ１４が配設されている。かかる検知センサ１４は、例えば光センサ等の非接触式センサ（若しくはマイクロスイッチ等の接触式センサであってもよい）で構成されており、パチンコ遊技機Ｐの前枠の開閉状態を検知して不正開放を防止し得るようになっている。
【００２０】
ファン部材３は、所謂クロスフローファンと称されるファンから成り、図５に示すように、装置本体２内で上下方向に延びた回転軸Ｌを中心に回転可能に配設されるとともに、側面に送風のための羽根３ａが形成された略円筒状のものから成る。かかるファン部材３は、フレームＦにおいて回転自在に取り付けられており、当該フレームＦの上部にはモータ４が形成されている。
【００２１】
当該モータ４は、ファン部材３を回転軸Ｌを中心として回転駆動させるための駆動源である。而して、本実施形態においては、ファン部材３とモータ４とを同一フレームＦに組み付けて一体とすることにより送風ユニットＹを構成しており、当該送風ユニットＹが装置本体２内において上下方向に複数（本実施形態においては３つ）並設されている。尚、本実施形態においては、短い上下寸法の送風ユニットＹが２つ、長い上下寸法の送風ユニットＹが１つそれぞれ上下に並べられているが、全て同一の上下寸法とされた送風ユニットＹを複数配設するようにしてもよい。即ち、装置本体２に形成された吸入口５ａ、５ｂ及び吐出口６の形成位置や他の構成要素の配設関係に応じて送風ユニットＹを任意の位置で配設することができるのである。
【００２２】
吸入口５ａは、装置本体２の背面２ｂで開口し、ファン部材３の回転駆動により島設備Ｓ内の空気を当該装置本体２内に吸入し得るものであり、同様に、吸入口５ｂは、装置本体２の側面２ｃで開口し、ファン部材３の回転駆動により島設備Ｓ内の空気を当該装置本体２内に吸入し得るものである。然るに、本実施形態においては、吸入口５ａは、装置本体２の背面２ｂ及び側面２ｃに形成されているが、前面２ａ以外の他の面（装置本体２の上面又は下面）に形成するようにして、島設備Ｓ内の空気を当該装置本体２内に吸入するようにしてもよい。
【００２３】
また、図２中符号１６は吸入口５ａを覆った活性炭フィルタを示しており、当該活性炭フィルタ１６により島設備Ｓ内の空気を吸入する過程で濾過することができ、含有する塵や埃等を捕捉して浄化し、その浄化した空気を吐出口６から吐出させてエアカーテンを形成することができる。従って、島設備Ｓ内の空気を吸入してエアカーテンを形成するにあたり、遊技者側（島設備外部）に島設備Ｓ内の塵や埃等が噴出してしまうのを回避することができる。
【００２４】
吐出口６は、装置本体２の前面２ａ側で上下方向に延びてスリット状に開口し、ファン部材３の回転駆動により吸入口５ａ、５ｂから吸入した空気を吐出させることにより前方に向かって送風し得るものであり、かかる送風により隣接するパチンコ遊技機Ｐ間において所謂エアカーテンを形成することができる。即ち、本実施形態においては、吸入口５ａ、５ｂが装置本体２の背面２ｂ又は側面２ｃに形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００２５】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００２６】
上記実施形態によれば、吸入口５ａ、５ｂが装置本体２の背面２ｂ及び側面２ｃ（上面又は下面であってもよい）で開口し、ファン部材３の回転駆動により島設備Ｓ内の空気を当該装置本体２内に吸入し得るよう構成されているので、島設備Ｓ内の空気を吸入しつつ前方へ排出させてエアカーテンを形成することにより、低コストで島設備Ｓ内の空気を強制的に循環させることができる。而して、島設備Ｓ内の空気を強制的に循環させることにより、島設備Ｓ内の構成要素や遊技機Ｐ背面或いは遊技球等の遊技媒体に結露してしまうのを回避できるとともに、島設備Ｓ内が過度に温度上昇してしまうのを回避することができる。即ち、本実施形態に係る台間装置は、エアカーテンの形成機能と島設備内の強制循環機能とを併せ持つことができるのである。
【００２７】
また、装置本体２内で上下方向に延びた回転軸Ｌを中心に回転可能に配設されるとともに側面に送風のための羽根３ａが形成された略円筒状のファン部材３を有し、且つ、吸入口５ａ、５ｂが装置本体２の背面２ｂ及び側面２ｃで開口し、吐出口６が当該装置本体２の前面２ａ側で上下方向に延びて開口したので、高さ方向に十分幅広いエアカーテンを形成することができ、煙草の煙等の遮断効果を十分に発揮し得る。
【００２８】
更に、ファン部材３とモータ４とを組み付けた送風ユニットＹを具備し、当該送風ユニットＹを装置本体２内において上下方向に複数並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５ａ、５ｂ及び吐出口６の形成位置や他の構成要素の配設関係に応じて送風ユニットＹを任意の位置で配設することができ、レイアウトの自由度を向上させ得るのである。
【００２９】
また更に、装置本体２には、ファン部材３の駆動をオン・オフ操作するための又は当該ファン部材３の回転速度を任意に調整するための操作手段７が形成されたので、遊技者や遊技店の従業員等が必要に応じてファン部材３を駆動させ或いは当該ファン部材３の回転速度を使用状況に応じて調整することができる。尚、本実施形態に係る操作手段７は、押圧操作及び回転操作が可能な操作摘みで構成されているが、他の形態の操作手段（例えば、ファン部材３の駆動をオン・オフ操作するための操作手段と、当該ファン部材３の回転速度を任意に調整するための操作手段とを別個に配設したもの）としてもよい。
【００３０】
以上、本実施形態について説明したが、本発明はこれに限定されるものではなく、例えばファン部材３の形態を他のもの（上下方向に延びた回転軸を中心に回転するもの以外のもの、或いは送風のための羽根が側面以外に形成されたもの等）としてもよい。また、ロック機構１３、操作手段７、表示灯９及び静電霧化微粒子水発生装置１１等を具備しないもの（即ち、専らエアカーテンを形成する台間装置等）としてもよく、更には他の機能が付加されたもの（例えば、プリペイドカード投入口等が形成された台間装置等）としてもよい。尚、ロック機構１３を具備しないものとした場合、装置本体２の前面２ａに形成されるべき吐出口６を上下方向に更に延ばすことができる。また、本実施形態においては、パチンコ遊技機Ｐが並設された島設備Ｓに適用されているが、スロットマシン等他の遊技機が並設された島設備に適用することができる。
【産業上の利用可能性】
【００３１】
島設備における遊技機の側方近傍に設置可能とされた装置本体と、装置本体内で回転可能に配設されるファン部材と、ファン部材を回転駆動させるためのモータと、装置本体の側面、上面、下面又は背面で開口し、ファン部材の回転駆動により島設備内の空気を当該装置本体内に吸入し得る吸入口と、装置本体の前面側で開口し、ファン部材の回転駆動により吸入口から吸入した空気を吐出させることにより前方に向かって送風し得る吐出口とを具備した島設備の台間装置であれば、外観形状が異なるもの或いは他の機能が付加されたもの等にも適用できる。
【符号の説明】
【００３２】
１  台間装置
２  装置本体
３  ファン部材
３ａ  羽根
４  モータ
５ａ、５ｂ  吸入口
６  吐出口
７  操作手段
８  可変抵抗器
９  表示灯
１０  噴出口
１１  静電霧化微粒子水発生装置
１２  仕切板
１３  ロック機構
１４  検知センサ
１５  プッシュソレノイド
１６  活性炭フィルタ
Ｙ  送風ユニット
Ｓ  島設備
【図１】
2011030817.tif 000003
【図２】
2011030817.tif 000004
【図３】
2011030817.tif 000005
【図４】
2011030817.tif 000006
【図５】
2011030817.tif 000007
【図６】
2011030817.tif 000008